(57)【特許請求の範囲】
【請求項１】
デスク天板の横幅の略半幅を有しデスク天板の前後縁と平行におかれる対面部と、これら対面部の端部を継ぎデスク天板の側縁と平行におかれる仕切面部と、前記対面部の外端に直角に連設され前記仕切面部と平行な外側面部とで平面視コ字状をなす凹部の開放面が互いに反対方向を向き、対向配置されるデスク天板の対向端間に跨がって設置することにより前記凹部が互いのデスク天板上に侵入し合って置かれるラック本体を備え、このラック本体の外側面部間に固定される棚の下部に配線用ダクトを前後方向にスライド可能に設けるとともに前記外側面部の外面側にはケーブルを床面に導く縦ダクトを設けるようにしたことを特徴とする対向型デスク用ラック。
【請求項２】
前記ダクトは浅い箱状をなし、前記ラック本体の対面部に対応する位置の側縁に切欠部を有するとともにその奥端に下方に折曲された当接片を有し、このダクトを引き出したとき前記当接片がラック本体のフレームに当接して引出し限が定められると同時に前記切欠部が露出してケーブル類を挿脱自在とされている請求項１記載の対向型デスク用ラック。
【請求項３】
前記ラック本体の外側面部はサイドパネルとパネルカバーとで構成され、これらサイドパネルおよびパネルカバーにはケーブルを通す開口部を有し、該ケーブルを床面に導く箇所のパネルカバーに前記縦ダクトの取付座が設けられている請求項１または２記載の対向型デスク用ラック。
【請求項４】
前記各面部は金属板または金属板を内蔵した構成とされている請求項１〜３のいずれか１項記載の対向型デスク用ラック。
【発明の詳細な説明】
【０００１】
【発明の属する技術分野】
本発明は、対向配置される事務用デスク上に設置して、ＯＡ機器類の使用と一般事務作業の遂行とを妨げることがないようにするとともにＯＡ機器の配線空間として使用することができる対向型デスク用ラックに関する。
【０００２】
【従来の技術】
我が国におけるオフィスのデスクのレイアウトは、デスクを向き合わせて配置する対向配列方式が殆んどであり、またデスクの天板の大きさも限られている。
【０００３】
近年ではパーソナルコンピュータやワードプロセッサ等のＯＡ機器の普及がめざましく、一般の事務用デスク上にＯＡ機器を設置して作業を行うことが日常化されている。
【０００４】
【発明が解決しようとする課題】
しかるに上記のＯＡ機器は、近年小型化が進みつつはあるもののＣＲＴディスプレイは相当に大きく、デスク上に設置したときに占めるスペースも大きくなってデスク上の空きスペースが著しく狭くなり、ＯＡ機器以外の事務を行うためのスペースが狭小となって仕事がやりにくいという問題が表面化している。
【０００５】
またＯＡ機器の普及とネットワーク化に伴い、ＯＡ機器からのケーブルの量が増大し、そのケーブルが乱雑にならないようにすることや、ネットワーク化に伴う周辺の小型機器の収納等の必要に迫られている。特にＯＡ機器を設置する方向が同一でない場合（デスクが対向設置されるような場合）にはケーブルの引き廻しが一層困難になっている。
【０００６】
なお、ＣＲＴディスプレイは、前面の表示面はもとより、裏面側からも多くの電磁波が放射されるため、自己が使用しているＣＲＴディスプレイから放射される電磁波以外にも対向しているデスク上のＣＲＴディスプレイからの電磁波の影響を受けることになるという問題も指摘されている。
【０００７】
【課題を解決するための手段】
本発明は、上記の現状に鑑み、デスク天板の上面の利用スペースを拡大し、ＯＡ機器を使用する業務と一般事務とを支障なく行うことができるとともに、ＯＡ機器からのケーブル類を容易かつ大量に収納することを可能とし、加えて対向者の使用するＣＲＴディスプレイから放射される電磁波を防禦することができる対向型デスク用ラックを提供することを課題としてなされたもので、デスク天板の横幅の略半幅を有しデスク天板の前後縁と平行におかれる対面部と、これら対面部の端部を継ぎデスク天板の側縁と平行におかれる仕切面部と、前記対面部の外端に直角に連設され前記仕切面部と平行な外側面部とで平面視コ字状をなす凹部の開放面が互いに反対方向を向き、対向配置されるデスク天板の対向端間に跨がって設置することにより前記凹部が互いのデスク天板上に侵入し合って置かれるラック本体を備え、このラック本体の外側面部間に固定される棚の下部に配線用ダクトを前後方向にスライド可能に設けるとともに前記外側面部の外面側にはケーブルを床面に導く縦ダクトを設けるようにしたことにある。
【０００８】
前記各面部には鉄板等の金属板を使用または内蔵することによりＯＡ機器のＣＲＴディスプレイを使用する場合の電磁波の影響を対面者に与えないようにするうえで好ましい。
【０００９】
【発明の実施の形態】
以下、本発明を図面に示す実施の形態を参照して説明する。
【００１０】
図１は本発明による対向型デスク用ラック１を対向配置されたデスク２，２のデスク天板２ａ，２ａ上に跨って設置した状態の斜視図を示し、図２は同正面を、図３は側面を示しており、図４は上記ラック１の分解図を示している。
【００１１】
上記ラック１のラック本体は、図示の実施形態では図４、図５、および図７に示すように、ラック本体の骨格を構成するフレーム３と、このフレーム３に固定されデスク天板２ａの横幅の略半幅を有しデスク天板２ａの前後縁と平行におかれる対面部４，４と、これら対面部４，４の端部を継ぐようフレーム３に固定され、デスク天板２ａの側縁と平行におかれる仕切面部５と、前記対面部４，４の外端に直角におかれ前記フレーム３に固定される外側面部６，６とで平面視コ字状をなす凹部７，７の開放面が互いに反対方向を向きかつ、対向配置されるデスク天板２ａ，２ａの対向端間に跨って設置したとき前記凹部７，７が互いのデスク天板２ａ，２ａ上に侵入し合って置かれ、この凹部７，７内に例えばＯＡ機器（ＣＲＴ）を設置することができるように構成されている。
【００１２】
前記フレーム３は、アルミニウム等の軽金属製角パイプにより形成され、正面よりみて中央位置に角形状の補強用の角フレーム３ａを有し、この角フレーム３ａの上辺中央から左右方向に延びる等しい長さの上フレーム３ｂ，３ｂと、角フレーム３ａの下部の前後部からそれぞれ左右方向に延びる下フレーム３ｃ，３ｃと、この下フレーム３ｃ，３ｃの先端から立ち上がり前記上フレーム３ｂ，３ｂの先端にサイドフレーム３ｄ，３ｄを介して連結される縦フレーム３ｅ，３ｅとで構成されている。
【００１３】
上記フレーム３の角フレーム３ａと縦フレーム３ｅ，３ｅとの各外面にボード８，８が引掛け式等の脱着が容易な手段により取付けられて対面部４，４を構成し、また角フレーム３ａの両面にセンタパネル９，９が取付けられて仕切面部５を構成する。
【００１４】
一方、前記ラック本体のフレーム３上にはダクト１０およびその上部に棚１１が設けられる。上記ダクト１０は、長手方向両側に立上り部１０ａ，１０ａを有し、前記対面部４，４に対応する位置には平面視浅いコ字形を有する切欠部１０ｂ，１０ｂが形成され、この切欠部１０ｂ，１０ｂの奥には下方に折曲された当接片１０ｃ，１０ｃが形成されている。またこのダクト１０の両端には、図示しないがプラスチック製の縁が嵌着等により取付けられる。
【００１５】
前記外側面部６は、サイドパネル１２とパネルカバー１３とで構成されている。前記サイドパネル１２は、上辺および両側辺に突堤１２ａを有し、この突堤１２ａにパネルカバー１３の周囲をビス等により固着することによりサイドパネル１２とパネルカバー１３との間に空間部が形成されるようになっている。
【００１６】
そして上記サイドパネル１２は前記フレーム３の縦フレーム３ｅおよびサイドフレーム３ｄにビス等により固着されるもので、その上方位置にはケーブル挿通用の開口部１２ｂが、また下方部にはデスク２への取付金具１４が取付く取付座１２ｃが設けられている。
【００１７】
前記パネルカバー１３には、前記サイドパネル１２の開口部１２ｂと合致する位置に開口部１３ａを有し、外面には縦ダクト１５を取付けるための断面が浅いコ字状の取付座１３ｂが前記開口部１３ａの直下位置から下端にかけてビス等により固着されている。
【００１８】
上記縦ダクト１５は浅い縦長の箱状を有し、前記パネルカバー１３の開口部１３ａを覆う位置からデスク２の脚部２ｂの外面にそって床面近くに至る長さを有するもので、内部にケーブルを通すことができるようになっている。
【００１９】
前記棚１１は、前記外側面部６と略等しい奥行き寸法を有する棚板１１ａと、この棚板１１ａの長手方向にそってその中央位置に直立する仕切板１１ｂとで構成され、その両端が前記サイドパネル１２，１２にビス等により固定される。この場合、フレーム３の上面と棚板１１ａの下面との間に前記ダクト１０が丁度納まる高さ位置に棚１１が固定され、この棚１１の下部でダクト１０が前後方向にスライド可能とされる。しかし、このダクト１０は、前記当接片１０ｃ，１０ｃがフレーム３の上フレーム３ｂ，３ｂに当ることで引出し量は制限され、その当接時に前記切欠部１０ｂまたは１０ｂが棚板１１ａより外方に露出しておかれ、ここからケーブル類をダクト１０内に挿脱することができるようになっている。
【００２０】
上記ラック１の少くとも対面部４，４は、図８に拡大断面を示すように、電磁波を遮断するための鉄板、アルミニウム板、ステンレス鋼板等の金属板１６と、コルクボード、インシュレーション等のピンが刺せる材料からなるピンナップボード１７と、これらの表面を覆う化粧用クロス１８とからなっており、前記対面部４，４では凹部７，７の外面側がピンナップボード１７となるように構成され、この対面部４，４が侵入して置かれる側のデスクの使用者がピンにより紙葉を刺着する壁面として利用することができるようになっている。なお、上記ピンナップボード１７以外にホワイトボード、ライトや原稿台の支持用フックの取付面等として対面者の使用に供するようにすることができる。
【００２１】
図１０はデスク２，２を対向配置して横並び状に配列した場合の平面図を示しており、互いに向き合うデスク２，２の使用者が相手方のデスク天板２ａ，２ａ上に張出す凹部７，７内にＯＡ機器（ＣＲＴ）を設置することができ、手前のデスク面を広く使うことができる。
【００２２】
上記凹部７，７内に設置するディスプレイ等からのケーブル類は、図９に示すようにボード８を外し、ダクト１０を手前側に引き寄せることによりその側の切欠部１０ｂが露出するので、ここからケーブルをダクト１０内に通して図４に示すサイドパネル１２の開口部１２ｂから外に出し、カバーパネル１３の開口部１３ａから縦ダクト１５内を通して床面に導き、電源等に接続することができる。これによりケーブル類はデスク２の外部に現われず、隠れた状態におくことができる。また他のＯＡ機器のケーブルや小型機器類も同様に隠して配線することができる。
【００２３】
前記図１０のように対向デスクを横並び状に配設する場合には、前記取付座１３ｂおよび縦ダクト１５は外端に位置するデスク２の端部のみに設け、横に並ぶデスク２，２のケーブルは隣位のダクト１０を使用してデスク列の端部に導くようにされる。したがって中間位置のデスク２，２のラック１，１の外側面部６，６同士は対向しておかれるようになる。
【００２４】
なお、前記棚１１の構成に関しては、図４に示したもののほか、図１１に示すような奥行きのある棚１１′あるいは図１２に示すようなフロッピーデスクなどを整理して収納するための抽出１１ｃ，１１ｃおよび本立１１ｄを有する棚１１″等であってもよく、適宜採択することができる。
【００２５】
【発明の効果】
以上説明したように本発明によれば、対向配置されるデスクのデスク天板を向き合う者同士が互いに一部利用し合ってＯＡ機器類を設置使用することができるので、一般事務用のスペースを十分に確保することができ、ＯＡ機器と一般事務とに共用するとききわめて有効である。
【００２６】
また本発明のラックの上部にダクトを引出し可能に設け、このラック内と外側面部の外面に設けられる縦ダクト内とを連通してケーブルを配線することができるので、デスク上に設置するＯＡ機器のケーブルがデスク上やその周辺に露出することなく配線することができ、デスク周りを整然と整えることができる。
【００２７】
上記ラックの面部に金属板を内蔵することにより、上記効果に加え対向者が使用するＣＲＴディスプレイから放射される電磁波を遮断することができ、電磁波による影響を少くすることができる効果がある。
【００２８】
さらに対面部にピンナップボードあるいはホワイトボード等を設ければ、ピンによる書類の止め付けによる書類の整理、メモ書き用として利用することができる。
【図面の簡単な説明】
【図１】本発明による対向型デスク用ラックの使用状態を示す斜視図。
【図２】同、正面図。
【図３】同、側面図。
【図４】同、分解斜視図。
【図５】同、平面図。
【図６】同、ダクトの平面図。
【図７】同、フレームの斜視図。
【図８】同、対面部の拡大断面図。
【図９】配線時にダクトを引出した状態を示す斜視図。
【図１０】デスクの配列状態を示す平面図。
【図１１】棚の変形例を示す斜視図。
【図１２】同、他の変形例を示す斜視図。
【符号の説明】
１  対向型デスク用ラック
２  デスク
２ａ  デスク天板
３  フレーム
４  対面部
５  仕切面部
６  外側面部
７  凹部
８  ボード
９  センタパネル
１０  ダクト
１１  棚
１２  サイドパネル
１３  パネルカバー
１４  取付金具
１５  縦ダクト
１６  金属板
１７  ピンナップボード
１８  化粧用クロス
【図１】
0003656778.tif 000002
【図２】
0003656778.tif 000003
【図３】
0003656778.tif 000004
【図４】
0003656778.tif 000005
【図５】
0003656778.tif 000006
【図６】
0003656778.tif 000007
【図７】
0003656778.tif 000008
【図８】
0003656778.tif 000009
【図９】
0003656778.tif 000010
【図１０】
0003656778.tif 000011
【図１１】
0003656778.tif 000012
【図１２】
0003656778.tif 000013